(57)【要約】  ＵＥ１００は、ランダムアクセス手順において接続対象セルから受信する所定メッセージに応じて、ランダムアクセス手順を中断するとともに、選択対象セルを選択する。
2016163331.tif 000002
【特許請求の範囲】
【請求項１】
ランダムアクセス手順において接続対象セルから受信する所定メッセージに応じて、前記ランダムアクセス手順を中断するとともに、複数のセルの中から、サービングセルとして用いる選択対象セルを選択する制御部を備えることを特徴とするユーザ端末。
【請求項２】
前記制御部は、前記所定メッセージの受信に応じて、前記接続対象セルが前記選択対象セルとして選択される優先度を下げることを特徴とする請求項１に記載のユーザ端末。
【請求項３】
前記所定メッセージは、前記接続対象セルの負荷が一定以上である場合に、前記接続対象セルから送信されることを特徴とする請求項１に記載のユーザ端末。
【請求項４】
前記所定メッセージは、前記選択対象セルの選択で用いるパラメータを含み、
前記制御部は、前記パラメータに基づいて、前記複数のセルの中から前記選択対象セルを選択することを特徴とする請求項１に記載のユーザ端末。
【請求項５】
前記接続対象セルから報知されるシステム情報は、前記選択対象セルの選択で用いるパラメータを含み、
前記制御部は、前記パラメータに基づいて、前記複数のセルの中から前記選択対象セルを選択することを特徴とする請求項１に記載のユーザ端末。
【請求項６】
前記所定メッセージは、前記接続対象セル以外のセルを前記選択対象セルとして選択するように薦めるレコメンド情報を含み、
前記制御部は、前記レコメンド情報に基づいて、前記接続対象セル以外のセルの中から前記選択対象セルを選択することを特徴とする請求項１に記載のユーザ端末。
【請求項７】
前記接続対象セルから報知されるシステム情報は、前記接続対象セル以外のセルを前記選択対象セルとして選択するように薦めるレコメンド情報を含み、
前記制御部は、前記レコメンド情報に基づいて、前記接続対象セル以外のセルの中から前記選択対象セルを選択することを特徴とする請求項３に記載のユーザ端末。
【請求項８】
前記レコメンド情報は、前記選択対象セルとして選択され得る候補セルのリストを含むことを特徴とする請求項６に記載のユーザ端末。
【請求項９】
前記レコメンド情報は、前記候補セルが前記選択対象セルとして選択されやいように、前記候補セルを前記選択対象セルとして選択すべきか否かを判定するためのメトリックに適用すべき追加オフセットを含むことを特徴とすることを特徴とする請求項８に記載のユーザ端末。
【請求項１０】
前記制御部は、前記追加オフセットを適用した場合において、前記接続対象セルを前記選択対象セルとして選択すべきか否かを判定するためのメトリックが前記候補セルを前記選択対象セルとして選択すべきか否かを判定するためのメトリックを下回っている場合には、前記選択対象セルの選択を開始することを特徴とする請求項９に記載のユーザ端末。
【請求項１１】
前記制御部は、前記追加オフセットを適用した場合において、前記接続対象セルを前記選択対象セルとして選択すべきか否かを判定するためのメトリックが前記候補セルを前記選択対象セルとして選択すべきか否かを判定するためのメトリックを上回っている場合には、前記ランダムアクセス手順を再開することを特徴とする請求項９に記載のユーザ端末。
【請求項１２】
前記制御部は、前記接続対象セルに対する前記ランダムアクセス手順を中断した後において、前記選択対象セルが選択された場合には、前記選択対象セルに対して中断されたランダムアクセス手順を再開することを特徴とすることを特徴とする請求項１に記載のユーザ端末。
【請求項１３】
前記制御部は、前記ランダムアクセス手順において、前記選択対象セルとして選択され得る候補セルとして、前記接続対象セルに隣接する隣接セルを前記接続対象セルに通知することを特徴とする請求項１に記載のユーザ端末。
【請求項１４】
前記制御部は、前記候補セルと対応付けられたランダムアクセスプリアンブルを用いて、前記ランダムアクセス手順を行うことを特徴とする請求項１３に記載のユーザ端末。
【請求項１５】
前記ランダムアクセスプリアンブルは、１つの候補セルと対応付けられていることを特徴とする請求項１４に記載のユーザ端末。
【請求項１６】
前記ランダムアクセスプリアンブルは、複数の候補セルと対応付けられており、
前記所定メッセージは、前記複数の候補セルの中から選択されたセルを示す情報を含むことを特徴とする請求項１４に記載のユーザ端末。
【請求項１７】
ランダムアクセス手順において接続対象セルから受信する所定メッセージに応じて、前記ランダムアクセス手順を中断するとともに、複数のセルの中から、サービングセルとして用いる選択対象セルを選択するステップを備えることを特徴とする移動通信方法。
【発明の詳細な説明】
【技術分野】
【０００１】
本発明は、複数のセルの中からサービングセルとして用いる選択対象セルを選択するユーザ端末及び移動通信方法に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、異なる周波数で運用される複数のセルの中からサービングセルとして用いる選択対象セルを選択する技術が提案されている（例えば、非特許文献１）。【０００３】
具体的には、ユーザ端末は、開始条件が満たされた場合に、現在のサービングセルに隣接する隣接セルの品質を測定し、選択条件を満たすセルの中からサービングセルとして用いる選択対象セルを選択する。
【先行技術文献】
【非特許文献】
【０００４】
【非特許文献１】３ＧＰＰ技術報告書  「ＴＳ３６．３０４  Ｖ１２．４．０」  ２０１５年３月
【発明の概要】
【０００５】
第１の特徴は、ユーザ端末であって、ランダムアクセス手順において接続対象セルから受信する所定メッセージに応じて、前記ランダムアクセス手順を中断するとともに、複数のセルの中から、サービングセルとして用いる選択対象セルを選択する制御部を備えることを要旨とする。
【０００６】
第２の特徴は、移動通信方法であって、ランダムアクセス手順において接続対象セルから受信する所定メッセージに応じて、前記ランダムアクセス手順を中断するとともに、複数のセルの中から、サービングセルとして用いる選択対象セルを選択するステップを備えることを要旨とする。
【図面の簡単な説明】
【０００７】
【図１】図１は、実施形態に係るＬＴＥシステムの構成図である。
【図２】図２は、実施形態に係るＵＥ１００のブロック図である。
【図３】図３は、実施形態に係るｅＮＢ２００のブロック図である。
【図４】図４は、実施形態に係る無線インターフェイスのプロトコルスタック図である。
【図５】図５は、実施形態に係るＬＴＥシステムで使用される無線フレームの構成図である。
【図６】図６は、実施形態に係る適用シーンを説明するための図である。
【図７】図７は、実施形態に係る移動通信方法を示すシーケンス図である。
【図８】図８は、変更例２に係る移動通信方法を示すシーケンス図である。
【図９】図９は、変更例２に係る移動通信方法を示すシーケンス図である。
【図１０】図１０は、変更例３に係る移動通信方法を示すシーケンス図である。
【発明を実施するための形態】
【０００８】
背景技術に記述した移動通信システムでは、あるセルをサービングセルとして用いるＲＲＣアイドル状態のユーザ端末は、あるセルを接続対象セルとしてＲＲＣコネクティッド状態に遷移する可能性がある。すなわち、あるセルをサービングセルとして用いるＲＲＣアイドル状態のユーザ端末の数は、あるセルにとって潜在的な負荷である。
【０００９】
しかしながら、選択対象セルの選択において、各セルの負荷が考慮されていない。従って、各セルの負荷分散を適切に行えない可能性がある。
【００１０】
そこで、実施形態は、上述した課題を解決するためになされたものであり、各セルの負荷分散を適切に行うことを可能とするユーザ端末及び移動通信方法を提供する。
【００１１】
以下において、実施形態に係る移動通信システムについて、図面を参照しながら説明する。なお、以下の図面の記載において、同一又は類似の部分には、同一又は類似の符号を付している。
【００１２】
ただし、図面は模式的なものであり、各寸法の比率などは現実のものとは異なる場合があることに留意すべきである。従って、具体的な寸法などは以下の説明を参酌して判断すべきである。また、図面相互間においても互いの寸法の関係や比率が異なる部分が含まれていることは勿論である。
【００１３】
［開示の概要］
開示の概要に係るユーザ端末は、ランダムアクセス手順において接続対象セルから受信する所定メッセージに応じて、前記ランダムアクセス手順を中断するとともに、複数のセルの中から、サービングセルとして用いる選択対象セルを選択する制御部を備える。
【００１４】
開示の概要に係るユーザ端末では、制御部は、ランダムアクセス手順において接続対象セルから受信する所定メッセージに応じて、ランダムアクセス手順を中断するとともに、選択対象セルを選択する。すなわち、接続対象セルの負荷が高い場合に、選択対象セルの選択をユーザ端末に速やかに促す。従って、各セルの負荷分散を適切に行うことができる。言い換えると、ＲＲＣアイドル状態のユーザ端末を各セルに適切に配分することができる。
【００１５】
［実施形態］
以下において、移動通信システムとして、３ＧＰＰ規格に基づいたＬＴＥシステムを例に挙げて、実施形態を説明する。
【００１６】
（システム構成）
実施形態に係るＬＴＥシステムのシステム構成について説明する。図１は、実施形態に係るＬＴＥシステムの構成図である。
【００１７】
図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００１８】
ＵＥ１００は、ユーザ端末に相当する。ＵＥ１００は、移動型の通信装置であり、ｅＮＢ２００によって形成されるセル（ＵＥ１００がＲＲＣコネクティッド状態である場合には、サービングセル）との無線通信を行う。ＵＥ１００の構成については後述する。
【００１９】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、無線基地局に相当する。ｅＮＢ２００は、Ｘ２インターフェイスを介して相互に接続される。ｅＮＢ２００の構成については後述する。
【００２０】
ｅＮＢ２００は、１又は複数のセルを形成しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００２１】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。なお、Ｅ−ＵＴＲＡＮ１０及びＥＰＣ２０は、ＬＴＥシステムのネットワークを構成する。
【００２２】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、制御部を構成する。無線送受信機１１０及びプロセッサ１６０は、送信部及び受信部を構成する。ＵＥ１００は、ＧＮＳＳ受信機１３０を有していなくてもよい。また、メモリ１５０をプロセッサ１６０と一体化し、このセット（すなわち、チップセット）をプロセッサとしてもよい。
【００２３】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００２４】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、受け付けた操作の内容を示す信号をプロセッサ１６０に出力する。ＧＮＳＳ受信機１３０は、ＵＥ１００の地理的な位置を示す位置情報を得るためにＧＮＳＳ信号を受信するとともに、受信されたＧＮＳＳ信号をプロセッサ１６０に出力する。バッテリ１４０は、ＵＥ１００の各ブロックに供給すべき電力を蓄える。
【００２５】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）とを含む。プロセッサ１６０は、さらに、音声・映像信号の符号化・復号を行うコーデックを含んでもよい。プロセッサ１６０は、後述する各種の処理及び各種の通信プロトコルを実行する。
【００２６】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、制御部を構成する。無線送受信機２１０（及び／又はネットワークインターフェイス２２０）及びプロセッサ２４０は、送信部及び受信部を構成する。また、メモリ２３０をプロセッサ２４０と一体化し、このセット（すなわち、チップセット）をプロセッサとしてもよい。
【００２７】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００２８】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００２９】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵとを含む。プロセッサ２４０は、後述する各種の処理及び各種の通信プロトコルを実行する。
【００３０】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３１】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御情報が伝送される。
【００３２】
ＭＡＣ層は、データの優先制御、ハイブリッドＡＲＱ（ＨＡＲＱ）による再送処理、及びランダムアクセス手順などを行う。ＵＥ１００のＭＡＣ層とｅＮＢ２００のＭＡＣ層との間では、トランスポートチャネルを介してユーザデータ及び制御情報が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００３３】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御情報が伝送される。
【００３４】
ＰＤＣＰ層は、ヘッダ圧縮・伸張、及び暗号化・復号化を行う。また、ＰＤＣＰ層には、データユニット（ＰＤＣＰ  ＰＤＵ）を送信するための送信エンティティ又はデータユニット（ＰＤＣＰ  ＰＤＵ）を受信するための受信エンティティが形成されることに留意すべきである。
【００３５】
ＲＲＣ層は、制御情報を取り扱う制御プレーンでのみ定義される。ＵＥ１００のＲＲＣ層とｅＮＢ２００のＲＲＣ層との間では、各種設定のための制御情報（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合に、ＵＥ１００はＲＲＣコネクティッド状態であり、ＵＥ１００のＲＲＣとｅＮＢ２００のＲＲＣとの間に接続（ＲＲＣ接続）がない場合に、ＵＥ１００はＲＲＣアイドル状態である。
【００３６】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００３７】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００３８】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００３９】
（適用シーン）
以下において、適用シーンについて説明する。図６は、実施形態に係る適用シーンを説明するための図である。
【００４０】
図６に示すように、複数のｅＮＢ２００（例えば、ｅＮＢ２００＃１、ｅＮＢ２００＃２、ｅＮＢ２００＃３、ｅＮＢ２００＃４）を有する。ｅＮＢ２００＃１は、無線通信エリアとしてセル＃１を有しており、ｅＮＢ２００＃２は、無線通信エリアとしてセル＃２を有しており、ｅＮＢ２００＃３は、無線通信エリアとしてセル＃３−１及びセル＃３−２を有しており、ｅＮＢ２００＃４は、無線通信エリアとしてセル＃４−１及びセル＃４−２を有している。
【００４１】
なお、セル＃２、セル＃３−１、セル＃３−２、セル＃４−１及びセル＃４−２は、セル＃１と重複している。また、各セルは、互いに異なる周波数で運用されている。各セルが運用されている周波数には、優先度が定められている。周波数と優先度との対応関係は、ｅＮＢ２００から報知されるシステム情報（ＳＩＢ；Ｓｙｓｔｅｍ  Ｉｎｆｏｒｍａｔｉｏｎ  Ｂｌｏｃｋ）に含まれる。
【００４２】
このような前提下において、ＵＥ１００は、異なる周波数で運用される複数のセルの中からサービングセルとして用いる選択対象セルを選択する。具体的には、ＵＥ１００は、開始条件が満たされた場合に、現在のサービングセルに隣接する隣接セルの品質を測定し、選択条件を満たすセルの中からサービングセルとして用いる選択対象セルを選択する。
【００４３】
第１に、開始条件は、以下に示す通りである。
【００４４】
（Ａ１）現在のサービングセルの周波数の優先度よりも高い優先度を有する周波数
−ＵＥ１００は、高い優先度を有する周波数の品質を常に測定する。
【００４５】
（Ａ２）現在のサービングセルの周波数の優先度と等しい優先度又は低い優先度を有する周波数
−ＵＥ１００は、現在のサービングセルの品質が所定閾値を下回った場合に、等しい優先度又は低い優先度を有する周波数の品質を測定する。
【００４６】
第２に、選択条件は、以下に示す通りである。
【００４７】
（Ｂ１）隣接セルの周波数の優先度が現在のサービングセルの優先度よりも高い
−ＵＥ１００は、所定期間（ＴｒｅｓｅｌｅｃｔｉｏｎＲＡＴ）に亘ってＳｑｕａｌ＞ＴｈｒｅｓｈＸ，ＨｉｇｈＱの関係を満たすセル、若しくは、所定期間（ＴｒｅｓｅｌｅｃｔｉｏｎＲＡＴ）に亘ってＳｒｘｌｅｖ＞ＴｈｒｅｓｈＸ，ＨｉｇｈＰの関係を満たすセルを選択対象セルとして選択する。このようなケースにおいて、隣接セルが満たすべき基準を“Ｓ−ｃｒｉｔｅｒｉａ”と称することもある。
【００４８】
但し、Ｓｑｕａｌは、セル選択品質レベルを表しており、Ｓｑｕａｌ＝Ｑｑｕａｌｍｅａｓ-（Ｑｑｕａｌｍｉｎ＋Ｑｑｕａｌｍｉｎｏｆｆｓｅｔ）−Ｑｏｆｆｓｅｔｔｅｍｐによって算出される。Ｑｑｕａｌｍｅａｓは、隣接セルの品質レベル（ＲＳＲＱ）であり、Ｑｑｕａｌｍｉｎは、最小要求品質レベルであり、Ｑｑｕａｌｍｉｎｏｆｆｓｅｔは、隣接セルに定常的に適用される所定オフセットであり、Ｑｏｆｆｓｅｔｔｅｍｐは、隣接セルに一時的に適用されるオフセットである。ＴｈｒｅｓｈＸ，ＨｉｇｈＱは、所定閾値である。
【００４９】
また、Ｓｒｘｌｅｖは、セル選択受信レベルを表しており、Ｓｒｘｌｅｖ＝Ｑｒｘｌｅｖｍｅａｓ-（Ｑｒｘｌｅｖｍｉｎ＋Ｑｒｘｌｅｖｍｉｎｏｆｆｓｅｔ）-Ｐｃｏｍｐｅｎｓａｔｉｏｎ−Ｑｏｆｆｓｅｔｔｅｍｐによって算出される。Ｑｒｘｌｅｖｍｅａｓは、隣接セルの受信レベル（ＲＳＲＰ）であり、Ｑｒｘｌｅｖｍｉｎは、最小要求受信レベルであり、Ｑｒｘｌｅｖｍｉｎｏｆｆｓｅｔは、隣接セルに定常的に適用される所定オフセットであり、Ｐｃｏｍｐｅｎｓａｔｉｏｎは、アップリンクの能力に関するパラメータであり、Ｑｏｆｆｓｅｔｔｅｍｐは、隣接セルに一時的に適用されるオフセットである。ＴｈｒｅｓｈＸ，ＨｉｇｈＰは、所定閾値である。
【００５０】
（Ｂ２）隣接セルの周波数の優先度が現在のサービングセルの優先度と同じである
−ＵＥ１００は、現在のサービングセルのランキングＲｓ及び隣接セルのランキングＲｎを算出するとともに、所定期間（ＴｒｅｓｅｌｅｃｔｉｏｎＲＡＴ）に亘ってＲｓよりも高いランキングＲｎを有するセルを選択対象セルとして選択する。このようなケースにおいて、隣接セルが満たすべき基準を“Ｒ−ｃｒｉｔｅｒｉａ”と称することもある。
【００５１】
但し、Ｒｓは、Ｒｓ＝Ｑｍｅａｓ，ｓ＋ＱＨｙｓｔ−Ｑｏｆｆｓｅｔｔｅｍｐによって算出される。Ｒｎは、Ｒｎ＝Ｑｍｅａｓ，ｎ−Ｑｏｆｆｓｅｔ−Ｑｏｆｆｓｅｔｔｅｍｐによって算出される。Ｑｍｅａｓ，ｓは、現在のサービングセルの受信レベル（ＲＳＲＰ）であり、Ｑｍｅａｓ，ｎは、隣接セルの受信レベル（ＲＳＲＰ）である。ＱＨｙｓｔは、現在のサービングセルが選択対象セルとして再選択されやすくするためのヒステリシス値である。Ｑｏｆｆｓｅｔｔｅｍｐは、現在のサービングセル及び隣接セルに一時的に適用されるオフセットである。
【００５２】
（Ｂ３）隣接セルの周波数の優先度が現在のサービングセルの優先度よりも低い
−ＵＥ１００は、所定期間（ＴｒｅｓｅｌｅｃｔｉｏｎＲＡＴ）に亘ってＳｑｕａｌ＜ＴｈｒｅｓｈＳｅｒｖｉｎｇ，ＬｏｗＱが満たされる、若しくは、所定期間（ＴｒｅｓｅｌｅｃｔｉｏｎＲＡＴ）に亘ってＳｒｘｌｅｖ＜ＴｈｒｅｓｈＳｅｒｖｉｎｇ，ＬｏｗＰが満たされるという前提下において、上述した（Ｂ１）と同様の手法によって隣接セルの中から選択対象セルを選択する。
【００５３】
但し、ＴｈｒｅｓｈＳｅｒｖｉｎｇ，ＬｏｗＱ及びＴｈｒｅｓｈＳｅｒｖｉｎｇ，ＬｏｗＰは、ＴｈｒｅｓｈＸ，ＨｉｇｈＱ及びＴｈｒｅｓｈＸ，ＨｉｇｈＰと同様に、所定閾値である。
【００５４】
なお、選択対象セルの選択で用いる各種パラメータは、ｅＮＢ２００から報知される報知情報（ＳＩＢ；Ｓｙｓｔｅｍ  Ｉｎｆｏｒｍａｔｉｏｎ  Ｂｌｏｃｋ）に含まれる。各種パラメータは、周波数の優先度（ｃｅｌｌＲｅｓｅｌｅｃｔｉｏｎＰｒｉｏｒｉｔｙ）、所定期間（ＴｒｅｓｅｌｅｃｔｉｏｎＲＡＴ）、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）を含む。
【００５５】
実施形態において、ＵＥ１００（制御部）は、ランダムアクセス手順において接続対象セルから受信する所定メッセージに応じて、ランダムアクセス手順を中断するとともに、複数のセルの中から、サービングセルとして用いる選択対象セルを選択する。所定メッセージは、ランダムアクセス手順において接続対象セルからＵＥ１００に送信するメッセージであり、例えば、Ｒａｎｄｏｍ  Ａｃｃｅｓｓ  Ｒｅｓｐｏｎｓｅであってもよく、Ｃｏｎｔｅｎｔｉｏｎ  Ｒｅｓｏｌｕｔｉｏｎであってもよい。また、所定メッセージは、接続対象セルの負荷が一定以上である場合に、接続対象セルから送信されることが好ましい。
【００５６】
ここで、ＵＥ１００（制御部）は、所定メッセージの受信に応じて、接続対象セルが選択対象セルとして選択される優先度を下げる。例えば、ＵＥ１００（制御部）は、接続対象セルの優先度（ｃｅｌｌＲｅｓｅｌｅｃｔｉｏｎＰｒｉｏｒｉｔｙ）を最低の優先度（ｌｏｗｅｓｔ  ｐｒｉｏｒｉｔｙ）に変更する。或いは、ＵＥ１００（制御部）は、接続対象セルの周波数の優先度（ｃｅｌｌＲｅｓｅｌｅｃｔｉｏｎＰｒｉｏｒｉｔｙ）を所定段階数だけ下げてもよい。
【００５７】
実施形態において、所定メッセージは、選択対象セルの選択で用いるパラメータを含んでいてもよい。選択対象セルの選択で用いるパラメータは、周波数の優先度（ｃｅｌｌＲｅｓｅｌｅｃｔｉｏｎＰｒｉｏｒｉｔｙ）、所定期間（ＴｒｅｓｅｌｅｃｔｉｏｎＲＡＴ）、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）を含む。このようなケースにおいて、選択対象セルの選択で用いるパラメータは、接続対象セルが選択対象セルとして選択されにくくするパラメータであることが好ましい。ＵＥ１００（制御部）は、上述したパラメータに基づいて、複数のセルの中から選択対象セルを選択する。
【００５８】
或いは、所定メッセージは、接続対象セル以外のセルを選択対象セルとして選択するように薦めるレコメンド情報を含んでもよい。ＵＥ１００（制御部）は、レコメンド情報の受信に応じて、接続対象セル以外の隣接セルの中から、サービングセルとして用いる選択対象セルを選択する。
【００５９】
レコメンド情報は、選択対象セルとして選択され得る候補セルのリストを含んでもよい。ＵＥ１００（制御部）は、レコメンド情報の受信に応じて、候補セルのリストに含まれる隣接セルの中から、サービングセルとして用いる選択対象セルを選択する。
【００６０】
さらに、レコメンド情報は、候補セルが選択対象セルとして選択されやいように、候補セルを選択対象セルとして選択すべきか否かを判定するためのメトリックに適用すべき追加オフセットを含むことが好ましい。メトリックとは、上述したＳｑｕａｌ（Ｑｑｕａｌｍｅａｓ＝ＲＳＲＱ）、Ｓｒｘｌｅｖ、（Ｑｒｘｌｅｖｍｅａｓ＝ＲＳＲＰ）、ランキングＲｎなどの値である。追加オフセットは、例えば、候補セルが選択対象セルとして選択されやすいように、これらの値を変更するための値である。
【００６１】
このようなケースにおいて、ＵＥ１００（制御部）は、追加オフセットを適用した場合において、接続対象セルを選択対象セルとして選択すべきか否かを判定するためのメトリックが候補セルを選択対象セルとして選択すべきか否かを判定するためのメトリックを下回っている場合には、選択対象セルの選択を開始することが好ましい。一方で、ＵＥ１００（制御部）は、追加オフセットを適用した場合において、接続対象セルを選択対象セルとして選択すべきか否かを判定するためのメトリックが候補セルを選択対象セルとして選択すべきか否かを判定するためのメトリックを上回っている場合には、ランダムアクセス手順を再開することが好ましい。
【００６２】
（移動通信方法）
以下において、実施形態に係る移動通信方法について説明する。図７は、実施形態に係る移動通信方法を示すシーケンス図である。
【００６３】
図７に示すように、ステップＳ１０において、ＵＥ１００は、ＲＲＣアイドル状態である。
【００６４】
ステップＳ１１において、ＵＥ１００は、ランダムアクセス手順を開始する。具体的には、ＵＥ１００は、複数のランダムアクセスプリアンブルの中から選択されたランダムアクセスプリアンブルによって構成されるメッセージ（Ｒａｎｄｏｍ  Ａｃｃｅｓｓ  Ｐｒｅａｍｂｌｅ）をｅＮＢ２００（接続対象セル）に送信する。ＵＥ１００は、メッセージ（Ｒａｎｄｏｍ  Ａｃｃｅｓｓ  Ｐｒｅａｍｂｌｅ）の送信毎にメッセージ（Ｒａｎｄｏｍ  Ａｃｃｅｓｓ  Ｐｒｅａｍｂｌｅ）の送信電力を増加する。
【００６５】
ここで、ＵＥ１００は、ランダムアクセス手順において選択対象セルの選択を行う機能を有している場合には、特定のメッセージ（Ｒａｎｄｏｍ  Ａｃｃｅｓｓ  Ｐｒｅａｍｂｌｅ）を送信することが好ましい。特定のメッセージとは、ランダムアクセスに用いる特定のプリアンブルによって構成されるメッセージ（Ｒａｎｄｏｍ  Ａｃｃｅｓｓ  Ｐｒｅａｍｂｌｅ）であってもよく、特定のリソース（リソースブロック）を用いて送信されるメッセージ（Ｒａｎｄｏｍ  Ａｃｃｅｓｓ  Ｐｒｅａｍｂｌｅ）であってもよい。
【００６６】
一方で、ＵＥ１００は、ランダムアクセス手順において選択対象セルの選択を行う機能を有していない場合には、特定のメッセージとは異なる既存のメッセージ（Ｒａｎｄｏｍ  Ａｃｃｅｓｓ  Ｐｒｅａｍｂｌｅ）を送信することが好ましい。既存のメッセージは、ランダムアクセスに用いる特定のプリアンブルとは異なる既存のプリアンブルによって構成されるメッセージ（Ｒａｎｄｏｍ  Ａｃｃｅｓｓ  Ｐｒｅａｍｂｌｅ）であってもよく、特定のリソース以外のリソース（リソースブロック）を用いて送信されるメッセージ（Ｒａｎｄｏｍ  Ａｃｃｅｓｓ  Ｐｒｅａｍｂｌｅ）であってもよい。
【００６７】
これによって、ｅＮＢ２００（接続対象セル）は、ランダムアクセスプリアンブルの種類又はメッセージの送信に用いるリソースの種類によって、ランダムアクセス手順において選択対象セルの選択を行う機能をＵＥ１００が有しているか否かを判定することができる。
【００６８】
ステップＳ１２において、ＵＥ１００は、メッセージ（Ｒａｎｄｏｍ  Ａｃｃｅｓｓ  Ｐｒｅａｍｂｌｅ）に対する応答メッセージ（Ｒａｎｄｏｍ  Ａｃｃｅｓｓ  Ｒｅｓｐｏｎｓｅ）をｅＮＢ２００（接続対象セル）から受信する。
【００６９】
ここで、応答メッセージ（Ｒａｎｄｏｍ  Ａｃｃｅｓｓ  Ｒｅｓｐｏｎｓｅ）は、上述したように、サービングセルとして用いる選択対象セルの選択を促す所定メッセージの一例である。ｅＮＢ２００（接続対象セル）は、接続対象セルの負荷が一定以上である場合に、所定メッセージとして応答メッセージ（Ｒａｎｄｏｍ  Ａｃｃｅｓｓ  Ｒｅｓｐｏｎｓｅ）を送信する。なお、このような応答メッセージ（Ｒａｎｄｏｍ  Ａｃｃｅｓｓ  Ｒｅｓｐｏｎｓｅ）は、ＲＲＣコネクションの設定を要求するメッセージ（ＲＲＣ  Ｃｏｎｎｅｃｔｉｏｎ  Ｒｅｑｕｅｓｔ）をｅＮＢ２００（接続対象セル）が受け付けないこと、若しくは、ＲＲＣレイヤメッセージをｅＮＢ２００（接続対象セル）が受け付けないことを意味してもよい。
【００７０】
なお、サービングセルとして用いる選択対象セルの選択を促す所定メッセージとして用いる応答メッセージ（Ｒａｎｄｏｍ  Ａｃｃｅｓｓ  Ｒｅｓｐｏｎｓｅ）は、ランダムアクセス手順を継続するための応答メッセージ（Ｒａｎｄｏｍ  Ａｃｃｅｓｓ  Ｒｅｓｐｏｎｓｅ）と区別されることに留意すべきである。例えば、１ビットのフラグ等によって両者は区別される。
【００７１】
ステップＳ１３において、ＵＥ１００（制御部）は、ランダムアクセス手順においてｅＮＢ２００（接続対象セル）から受信する所定メッセージに応じて、ランダムアクセス手順を中断するとともに、複数のセルの中から、サービングセルとして用いる選択対象セルを選択する。所定メッセージに含まれる情報や所定メッセージの受信に伴う選択対象セルの選択方法は、上述した通りである。
【００７２】
（作用及び効果）
実施形態に係るＵＥ１００（制御部）は、ランダムアクセス手順において接続対象セルから受信する所定メッセージに応じて、ランダムアクセス手順を中断するとともに、選択対象セルを選択する。すなわち、接続対象セルの負荷が高い場合に、選択対象セルの選択をＵＥ１００に速やかに促す。従って、各セルの負荷分散を適切に行うことができる。言い換えると、ＲＲＣアイドル状態のＵＥ１００を各セルに適切に配分することができる。
【００７３】
［変更例１］
以下において、実施形態の変更例１について説明する。以下においては、実施形態に対する相違点について主として説明する。
【００７４】
具体的には、実施形態では、ランダムアクセス手順において接続対象セルから受信する所定メッセージは、選択対象セルとして選択され得る候補セルのリストを含むレコメンド情報を含む。これに対して、変更例１では、ＵＥ１００（制御部）は、ランダムアクセス手順において、選択対象セルとして選択され得る候補セルとして、接続対象セルに隣接する隣接セルを接続対象セルに通知する。
【００７５】
具体的には、ＵＥ１００（制御部）は、候補セルと対応付けられたランダムアクセスプリアンブルを用いてランダムアクセス手順を行うことによって、候補セルを接続対象セルに通知する。
【００７６】
ここで、ランダムアクセスプリアンブルは、１つの候補セルと対応付けられていてもよい。このようなケースにおいて、レコメンド情報は、候補セルのリストを含まなくてもよく、ＵＥ１００から通知された１つの候補セルを含む候補セルのリストを含んでいてもよい。ＵＥ１００（制御部）は、上述した（Ｂ１）〜（Ｂ３）に示す評価を省略して、ＵＥ１００から接続対象セルに通知した１つの候補セルをサービングセルとして用いてもよい。
【００７７】
或いは、ランダムアクセスプリアンブルは、複数の候補セルと対応付けられていてもよい。このようなケースにおいては、所定メッセージは、ＵＥ１００から通知された複数の候補セルの中から選択されたセルを示す情報を含む。例えば、レコメンド情報は、ＵＥ１００から通知された複数の候補セルの中から選択されたセルを含んでもよい。ＵＥ１００（制御部）は、接続対象セルによって選択されたセルが１つセルである場合には、上述した（Ｂ１）〜（Ｂ３）に示す評価を省略して、接続対象セルによって選択されたセルをサービングセルとして用いてもよい。ＵＥ１００（制御部）は、接続対象セルによって選択されたセルが複数のセルである場合には、複数のセルの中から、上述した（Ｂ１）〜（Ｂ３）に示す評価に従って選択対象セルを選択してもよい。
【００７８】
ここで、ランダムアクセスプリアンブルが１つの候補セルと対応付けられている場合には、所定メッセージである応答メッセージ（Ｒａｎｄｏｍ  Ａｃｃｅｓｓ  Ｒｅｓｐｏｎｓｅ）は、応答メッセージが所定メッセージである旨を示す１ビットのフラグを含み、１ビットのフラグは、接続対象セルに対するランダムアクセス手順を中断して、サービングセルとして用いる選択対象セルの選択を指示することを意味する。一方で、ランダムアクセスプリアンブルが複数の候補セルと対応付けられている場合には、所定メッセージである応答メッセージ（Ｒａｎｄｏｍ  Ａｃｃｅｓｓ  Ｒｅｓｐｏｎｓｅ）は、複数の候補セルの中からｅＮＢ２００（接続対象セル）によって絞り込まれた候補セルを示すインデックスを含むことが好ましい。
【００７９】
［変更例２］
以下において、実施形態の変更例２について説明する。以下においては、実施形態に対する相違点について主として説明する。
【００８０】
変更例２において、ＵＥ１００（制御部）は、接続対象セルに対するランダムアクセス手順を中断した後において、選択対象セルが選択された場合には、選択対象セルに対して中断されたランダムアクセス手順を再開する。このようなケースにおいて、接続対象セルは、Ｘ２インターフェイスを介して、ランダムアクセス手順で用いていたＲＡＣＨ情報（ＴＡ（Ｔｉｍｉｎｇ  Ａｄｖａｎｃｅ）、ランダムアクセスプリアンブルなど）を選択対象セルに通知する。これによって、選択対象セルに対してランダムアクセス手順を最初からやり直すケースと比べて、ランダムアクセス手順を短縮することができる。
【００８１】
接続対象セルは、候補セルのリストを含むレコメンド情報をＵＥ１００に通知している場合には、候補セルのリストに含まれるセルの全てに対してＲＡＣＨ情報を通知することが好ましい。或いは、接続対象セルは、ＵＥ１００から候補セルが通知されている場合には、ＵＥ１００から通知された全ての候補セルに対してＲＡＣＨ情報を通知することが好ましい。
【００８２】
なお、接続対象セル及び選択対象セルは、同一のｅＮＢ２００に設けられるセルであることが好ましい（ｃｏ−ｌｏｃａｔｅｄ又はｑｕａｓｉ−ｃｏｌｌｏｃａｔｅｄ）。
【００８３】
（移動通信方法）
以下において、変更例２に係る移動通信方法について説明する。図８及び図９は、変更例２に係る移動通信方法を示すシーケンス図である。なお、図８及び図９では、接続対象セルがセル＃１であり、選択対象セルがセル＃２であるケースを例示する。
【００８４】
第１に、選択対象セルに対するランダムアクセス手順が成功するケースについて図８を参照しながら説明する。
【００８５】
図８に示すように、ステップＳ２０において、ＵＥ１００は、ステップＳ１０と同様に、ＲＲＣアイドル状態である。
【００８６】
ステップＳ２１において、ＵＥ１００は、ステップＳ１１と同様に、ランダムアクセス手順を開始する。具体的には、ＵＥ１００は、複数のランダムアクセスプリアンブルの中から選択されたランダムアクセスプリアンブルによって構成されるメッセージ（Ｒａｎｄｏｍ  Ａｃｃｅｓｓ  Ｐｒｅａｍｂｌｅ）をｅＮＢ２００（セル＃１）に送信する。
【００８７】
ステップＳ２２において、ＵＥ１００は、ステップＳ１２と同様に、メッセージ（Ｒａｎｄｏｍ  Ａｃｃｅｓｓ  Ｐｒｅａｍｂｌｅ）に対する応答メッセージ（Ｒａｎｄｏｍ  Ａｃｃｅｓｓ  Ｒｅｓｐｏｎｓｅ）をｅＮＢ２００（セル＃１）から受信する。ここで、応答メッセージ（Ｒａｎｄｏｍ  Ａｃｃｅｓｓ  Ｒｅｓｐｏｎｓｅ）は、上述したように、サービングセルとして用いる選択対象セルの選択を促す所定メッセージの一例である。
【００８８】
ステップＳ２３において、ＵＥ１００は、ステップＳ１３と同様に、ランダムアクセス手順においてｅＮＢ２００（セル＃１）から受信する所定メッセージに応じて、ランダムアクセス手順を中断するとともに、複数のセルの中から、サービングセルとして用いる選択対象セルを選択する。ここでは、選択対象セルとしてセル＃２が選択される。
【００８９】
ステップＳ２４において、ＵＥ１００は、応答メッセージ（Ｒａｎｄｏｍ  Ａｃｃｅｓｓ  Ｒｅｓｐｏｎｓｅ）の受信タイミングによって定まるタイミングにおいて、所定情報を含むメッセージ（Ｓｃｈｅｄｕｌｅｄ  Ｔｒａｍｓｍｉｓｓｉｏｎ）をｅＮＢ２００（セル＃１）に送信する。
【００９０】
ステップＳ２５において、ｅＮＢ２００（セル＃１）は、ランダムアクセス手順で用いていたＲＡＣＨ情報を含むメッセージ（Ｃｏｎｎｅｃｔｉｏｎ  ｒｏｕｔｅｄ）をｅＮＢ２００（セル＃２）に送信する。
【００９１】
ステップＳ２６において、ｅＮＢ２００（セル＃２）は、セル＃２に対するＵＥ１００の接続を許可する。
【００９２】
ステップＳ２７において、ｅＮＢ２００（セル＃２）は、セル＃２に対するＵＥ１００の接続を許可する旨を示すメッセージ（Ｃｏｎｎｅｃｔｉｏｎ  ｒｏｕｔｅｄ  ＡＣＫ）をｅＮＢ２００（セル＃１）に送信する。
【００９３】
ステップＳ２８において、ＵＥ１００は、メッセージ（Ｓｃｈｅｄｕｌｅｄ  Ｔｒａｍｓｍｉｓｓｉｏｎ）に対する応答メッセージ（Ｃｏｎｔｅｎｔｉｏｎ  Ｒｅｓｏｌｕｔｉｏｎ）をｅＮＢ２００（セル＃２）から受信する。
【００９４】
上述したように、ｅＮＢ２００（セル＃２）に対するランダムアクセス手順を再開することによって、ｅＮＢ２００（セル＃２）に対するランダムアクセス手順が成功する。
【００９５】
第２に、選択対象セルに対するランダムアクセス手順が失敗するケースについて図９を参照しながら説明する。
【００９６】
図９に示すように、ステップＳ３０において、ＵＥ１００は、ステップＳ１０と同様に、ＲＲＣアイドル状態である。
【００９７】
ステップＳ３１において、ＵＥ１００は、ステップＳ１１と同様に、ランダムアクセス手順を開始する。具体的には、ＵＥ１００は、複数のランダムアクセスプリアンブルの中から選択されたランダムアクセスプリアンブルによって構成されるメッセージ（Ｒａｎｄｏｍ  Ａｃｃｅｓｓ  Ｐｒｅａｍｂｌｅ）をｅＮＢ２００（セル＃１）に送信する。
【００９８】
ステップＳ３２において、ＵＥ１００は、ステップＳ１２と同様に、メッセージ（Ｒａｎｄｏｍ  Ａｃｃｅｓｓ  Ｐｒｅａｍｂｌｅ）に対する応答メッセージ（Ｒａｎｄｏｍ  Ａｃｃｅｓｓ  Ｒｅｓｐｏｎｓｅ）をｅＮＢ２００（セル＃１）から受信する。ここで、応答メッセージ（Ｒａｎｄｏｍ  Ａｃｃｅｓｓ  Ｒｅｓｐｏｎｓｅ）は、上述したように、サービングセルとして用いる選択対象セルの選択を促す所定メッセージの一例である。
【００９９】
ステップＳ３３において、ＵＥ１００は、ステップＳ１３と同様に、ランダムアクセス手順においてｅＮＢ２００（セル＃１）から受信する所定メッセージに応じて、ランダムアクセス手順を中断するとともに、複数のセルの中から、サービングセルとして用いる選択対象セルを選択する。ここでは、選択対象セルとしてセル＃２が選択される。
【０１００】
ステップＳ３４において、ＵＥ１００は、応答メッセージ（Ｒａｎｄｏｍ  Ａｃｃｅｓｓ  Ｒｅｓｐｏｎｓｅ）の受信タイミングによって定まるタイミングにおいて、所定情報を含むメッセージ（Ｓｃｈｅｄｕｌｅｄ  Ｔｒａｍｓｍｉｓｓｉｏｎ）をｅＮＢ２００（セル＃１）に送信する。
【０１０１】
ステップＳ３５において、ｅＮＢ２００（セル＃１）は、ランダムアクセス手順で用いていたＲＡＣＨ情報を含むメッセージ（Ｃｏｎｎｅｃｔｉｏｎ  ｒｏｕｔｅｄ）をｅＮＢ２００（セル＃２）に送信する。
【０１０２】
ステップＳ３６において、ｅＮＢ２００（セル＃２）は、セル＃２に対するＵＥ１００の接続を拒否する。
【０１０３】
ステップＳ３７において、ｅＮＢ２００（セル＃２）は、セル＃２に対するＵＥ１００の接続を拒否する旨を示すメッセージ（Ｃｏｎｎｅｃｔｉｏｎ  ｒｏｕｔｅｄ  ＮＡＣＫ）をｅＮＢ２００（セル＃１）に送信する。
【０１０４】
ステップＳ３８において、ＵＥ１００は、メッセージ（Ｓｃｈｅｄｕｌｅｄ  Ｔｒａｍｓｍｉｓｓｉｏｎ）に対する応答メッセージ（Ｃｏｎｔｅｎｔｉｏｎ  Ｒｅｓｏｌｕｔｉｏｎ）をｅＮＢ２００（セル＃１）から受信する。
【０１０５】
上述したように、ｅＮＢ２００（セル＃２）に対するランダムアクセス手順を再開するが、ｅＮＢ２００（セル＃２）に対するランダムアクセス手順が失敗する。
【０１０６】
なお、図８及び図９においては、ステップＳ２４又はステップＳ３４において、ＵＥ１００は、所定情報を含むメッセージ（Ｓｃｈｅｄｕｌｅｄ  Ｔｒａｍｓｍｉｓｓｉｏｎ）をｅＮＢ２００（セル＃１）に送信するが、変更例２はこれに限定されるものではない。具体的には、ステップＳ２４及びステップＳ３４よりも前において、ｅＮＢ２００（セル＃１）に対するランダムアクセス手順で用いていたＲＡＣＨ情報がｅＮＢ２００（セル＃２）に通知されている場合には、ｅＮＢ２００（セル＃１）は、ステップＳ２２又はステップＳ３２において、ｅＮＢ２００（セル＃２）に対するランダムアクセス手順の継続が可能である旨を応答メッセージ（Ｒａｎｄｏｍ  Ａｃｃｅｓｓ  Ｒｅｓｐｏｎｓｅ）によってＵＥ１００に通知してもよい。ＵＥ１００は、ステップＳ２２又はステップＳ３２で受信する応答メッセージ（Ｒａｎｄｏｍ  Ａｃｃｅｓｓ  Ｒｅｓｐｏｎｓｅ）に応じて、所定情報を含むメッセージ（Ｓｃｈｅｄｕｌｅｄ  Ｔｒａｍｓｍｉｓｓｉｏｎ）をｅＮＢ２００（セル＃２）に送信してもよい。
【０１０７】
さらに、選択対象セルの選択を伴うランダムアクセス手順で用いるＲＡＣＨ情報は、ｅＮＢ２００（セル＃１）とｅＮＢ２００（セル＃２）との間で交換されていてもよい。このようなＲＡＣＨ情報の交換は、ＵＥ１００からｅＮＢ２００（セル＃１）にランダムアクセスプリアンブルが送信される前に行われてもよい。このようなケースにおいては、ｅＮＢ２００（セル＃１）は、ｅＮＢ２００（セル＃１）に対するランダムアクセス手順で用いていたＲＡＣＨ情報をｅＮＢ２００（セル＃２）に通知しなくてもよい。
【０１０８】
［変更例３］
以下において、実施形態の変更例３について説明する。以下においては、実施形態に対する相違点について主として説明する。
【０１０９】
具体的には、実施形態では、サービングセルとして用いる選択対象セルの選択を促す所定メッセージとして、応答メッセージ（Ｒａｎｄｏｍ  Ａｃｃｅｓｓ  Ｒｅｓｐｏｎｓｅ）を用いる。これに対して、変更例３では、サービングセルとして用いる選択対象セルの選択を促す所定メッセージとして、ランダムアクセス手順においてアップリンク送信の競合を回避するためのメッセージ（Ｃｏｎｔｅｎｔｉｏｎ  Ｒｅｓｏｌｕｔｉｏｎ）を用いる。
【０１１０】
（移動通信方法）
以下において、変更例３に係る移動通信方法について説明する。図１０は、変更例３に係る移動通信方法を示すシーケンス図である。
【０１１１】
図１０に示すように、ステップＳ４０において、ＵＥ１００は、ＲＲＣアイドル状態である。
【０１１２】
ステップＳ４１において、ＵＥ１００は、ランダムアクセス手順を開始する。具体的には、ＵＥ１００は、複数のランダムアクセスプリアンブルの中から選択されたランダムアクセスプリアンブルによって構成されるメッセージ（Ｒａｎｄｏｍ  Ａｃｃｅｓｓ  Ｐｒｅａｍｂｌｅ）をｅＮＢ２００（接続対象セル）に送信する。ＵＥ１００は、メッセージ（Ｒａｎｄｏｍ  Ａｃｃｅｓｓ  Ｐｒｅａｍｂｌｅ）の送信毎にメッセージ（Ｒａｎｄｏｍ  Ａｃｃｅｓｓ  Ｐｒｅａｍｂｌｅ）の送信電力を増加する。
【０１１３】
ステップＳ４２において、ＵＥ１００は、メッセージ（Ｒａｎｄｏｍ  Ａｃｃｅｓｓ  Ｐｒｅａｍｂｌｅ）に対する応答メッセージ（Ｒａｎｄｏｍ  Ａｃｃｅｓｓ  Ｒｅｓｐｏｎｓｅ）をｅＮＢ２００（接続対象セル）から受信する。
【０１１４】
ステップＳ４３において、ＵＥ１００は、応答メッセージ（Ｒａｎｄｏｍ  Ａｃｃｅｓｓ  Ｒｅｓｐｏｎｓｅ）の受信タイミングによって定まるタイミングにおいて、所定情報を含むメッセージ（Ｓｃｈｅｄｕｌｅｄ  Ｔｒａｍｓｍｉｓｓｉｏｎ）を送信する。
【０１１５】
ステップＳ４４において、ＵＥ１００は、メッセージ（Ｓｃｈｅｄｕｌｅｄ  Ｔｒａｍｓｍｉｓｓｉｏｎ）に対する応答メッセージ（Ｃｏｎｔｅｎｔｉｏｎ  Ｒｅｓｏｌｕｔｉｏｎ）をｅＮＢ２００（接続対象セル）から受信する。
【０１１６】
ここで、応答メッセージ（Ｃｏｎｔｅｎｔｉｏｎ  Ｒｅｓｏｌｕｔｉｏｎ）は、上述したように、サービングセルとして用いる選択対象セルの選択を促す所定メッセージの一例である。ｅＮＢ２００（接続対象セル）は、接続対象セルの負荷が一定以上である場合に、所定メッセージとして応答メッセージ（Ｃｏｎｔｅｎｔｉｏｎ  Ｒｅｓｏｌｕｔｉｏｎ）を送信する。
【０１１７】
なお、サービングセルとして用いる選択対象セルの選択を促す所定メッセージとして用いる応答メッセージ（Ｃｏｎｔｅｎｔｉｏｎ  Ｒｅｓｏｌｕｔｉｏｎ）は、ランダムアクセス手順を継続するための応答メッセージ（Ｃｏｎｔｅｎｔｉｏｎ  Ｒｅｓｏｌｕｔｉｏｎ）と区別されることに留意すべきである。例えば、１ビットのフラグ等によって両者は区別される。
【０１１８】
ステップＳ４５において、ＵＥ１００（制御部）は、ランダムアクセス手順においてｅＮＢ２００（接続対象セル）から受信する所定メッセージに応じて、ランダムアクセス手順を中断するとともに、複数のセルの中から、サービングセルとして用いる選択対象セルを選択する。所定メッセージに含まれる情報や所定メッセージの受信に伴う選択対象セルの選択方法は、上述した通りである。
【０１１９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１２０】
実施形態では特に触れていないが、接続対象セルは、レコメンド情報を含む所定メッセージの送信によってタイマを起動するとともに、ランダムアクセス手順が再開されることなく、タイマ値が所定閾値に達した場合に、ＵＥ１００のサービングセルが他セルに切り替わったと判定してもよい。
【０１２１】
実施形態では、所定メッセージがＲａｎｄｏｍ  Ａｃｃｅｓｓ  Ｒｅｓｐｏｎｓｅ又はＣｏｎｔｅｎｔｉｏｎ  Ｒｅｓｏｌｕｔｉｏｎであるケースを例示した。しかしながら、実施形態はこれに限定されるものではない。具体的には、所定メッセージは、ランダムアクセス手順の拡張によって定義される新たなメッセージであってもよい。例えば、接続対象セル以外のセルを選択対象セルとして選択するように薦めるか否かを示す１ビットのフラグがＲａｎｄｏｍ  Ａｃｃｅｓｓ  Ｒｅｓｐｏｎｓｅ又はＣｏｎｔｅｎｔｉｏｎ  Ｒｅｓｏｌｕｔｉｏｎに追加されてもよい。加えて、選択対象セルとして選択され得る候補セルのリストを含むダウンリンクメッセージ及びダウンリンクメッセージのスケジューリング情報などの新たなメッセージが導入されてもよい。ダウンリンクメッセージのスケジューリング情報は、Ｒａｎｄｏｍ  Ａｃｃｅｓｓ  Ｒｅｓｐｏｎｓｅ又はＣｏｎｔｅｎｔｉｏｎ  Ｒｅｓｏｌｕｔｉｏｎに含まれる情報（例えば、ＲＡＲ  ｓｃｈｅｄｕｌｉｎｇ  ｉｎｆｏｒｍａｔｉｏｎ）であってもよい。ここで、スケジューリング情報によってスケジュールされるダウンリンクメッセージは、スケジューリング情報が送信されるサブフレームで送信されてもよく、スケジューリング情報が送信されるサブフレームから所定数のサブフレーム後のサブフレームで送信されてもよい。スケジューリング情報が送信されるサブフレームとダウンリンクメッセージが送信されるサブフレームとの間隔（すなわち、上述した所定数）は、予め定められた値であってもよく、スケジューリング情報に含まれる値であってもよい。
【０１２２】
実施形態では、選択対象セルの選択で用いるパラメータは、所定メッセージに含まれる。しかしながら、実施形態は、これに限定されるものではない。選択対象セルの選択で用いるパラメータは、ｅＮＢ２００（接続対象セル）から報知される報知情報（ＳＩＢ；Ｓｙｓｔｅｍ  Ｉｎｆｏｒｍａｔｉｏｎ  Ｂｌｏｃｋ）に含まれてもよい。
【０１２３】
実施形態では、レコメンド情報は、所定メッセージに含まれる。しかしながら、実施形態は、これに限定されるものではない。レコメンド情報は、ｅＮＢ２００（接続対象セル）から報知される報知情報（ＳＩＢ；Ｓｙｓｔｅｍ  Ｉｎｆｏｒｍａｔｉｏｎ  Ｂｌｏｃｋ）に含まれてもよい。
【０１２４】
実施形態では特に触れていないが、変更例２に示すように、接続対象セル以外の他セルに対してランダムアクセス手順が再開されたケースにおいて、他セルは、他セルとＵＥ１００との間の接続が完了した場合に、接続対象セルに対して接続完了を通知してもよい。
【０１２５】
変更例２では、接続対象セル及び選択対象セルが同一のｅＮＢ２００に設けられるセルである場合に、中断されたランダムアクセス手順を再開する手順について説明した。しかしながら、接続対象セル及び選択対象セルが同一のｅＮＢ２００に設けられていない場合には、選択対象セルに対してランダムアクセス手順を最初からやり直してもよい。
【０１２６】
実施形態では特に触れていないが、ＵＥ１００及びｅＮＢ２００が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１２７】
或いは、ＵＥ１００及びｅＮＢ２００が行う各処理を実行するためのプログラムを記憶するメモリ及びメモリに記憶されたプログラムを実行するプロセッサによって構成されるチップが提供されてもよい。
【０１２８】
実施形態では、移動通信システムの一例としてＬＴＥシステムを説明した。しかしながら、実施形態はこれに限定されるものではない。移動通信システムは、ＬＴＥシステム以外のシステムであってもよい。
【０１２９】
［相互参照］
日本国特許出願第２０１５−０８０７７４号（２０１５年４月１０日）の全内容が参照により本願明細書に組み込まれている。
【産業上の利用可能性】
【０１３０】
本発明は、通信分野において有用である。
【図１】
2016163331.tif 000003
【図２】
2016163331.tif 000004
【図３】
2016163331.tif 000005
【図４】
2016163331.tif 000006
【図５】
2016163331.tif 000007
【図６】
2016163331.tif 000008
【図７】
2016163331.tif 000009
【図８】
2016163331.tif 000010
【図９】
2016163331.tif 000011
【図１０】
2016163331.tif 000012
【国際調査報告】
2016163331.tif 000013
2016163331.tif 000014
2016163331.tif 000015
2016163331.tif 000016